(57)【要約】【課題】ハウジングへの組み付け時に保持器からころが脱落することを防止でき、組み付け作業性の良い転がり軸受組立体を提供する。【解決手段】この軸受組立体１１は、ハウジングの内周面に挿入する際に、外側の保持リング１０６を取り外した状態でも、ラッピングフィルムで作製された細長い帯状の保持部材１８が全ての針状ころ１０５に巻回されて径方向外方側から保持器１０１に保持する。したがって、上記ハウジングの内周面に挿入する際に針状ころ１０５が保持器１０１から外れて脱落してしまうことを防止できる。帯状の保持部材１８は、保持器１０１,ころ１０５による軸受をハウジングの内周面に挿入してしまってから、軸方向に引っ張って巻き付きを解除して軸受から取り外すことができる。【選択図】図２
2012112429.tif 000002
【特許請求の範囲】
【請求項１】
環状部とこの環状部の周方向に予め定められた間隔で複数形成された柱部とを有する保持器と、
上記柱部間に配置される複数のころと、
上記複数のころに径方向内側から係合して上記複数のころが上記保持器から径方向内方に脱落しないように保持する内側環状部材と、
上記複数のころの径方向外側に配置されて上記複数のころが上記保持器から径方向外方に脱落しないように保持する外側環状部材と、
上記保持器の柱部間に配置された全てのころを径方向外方から上記保持器に保持するように上記保持器と上記ころに対して径方向の外方側から巻き付けられた保持部材と
を備えることを特徴とする転がり軸受組立体。
【発明の詳細な説明】
【技術分野】
【０００１】
この発明は、例えば、保持器付き針状ころ軸受等をハウジングと軸との間に装着するための転がり軸受組立体に関する。
【背景技術】
【０００２】
従来、保持器付き針状ころ軸受は、一例として、風力発電機の旋回駆動装置のクランク軸の偏芯部等に使用されており、高容量化のために、図３に示すように、保持器１０１の柱部１０２間の１つのポケットに２本の針状ころ１０５を配置したものがある。
【０００３】
上記保持器１０１と針状ころ１０５で構成される針状ころ軸受は、保持器１０１から針状ころ１０５が脱落することを防ぐためのころ止めを保持器１０１に付けることが困難なため、図５に示す外側の保持リング１０６と図４に示す内側の保持リング１０７とを保持器１０１と針状ころ１０５に装着した軸受組立体１１１としている。この軸受組立体１１１では、外側の保持リング１０６と内側の保持リング１０７とで各針状ころ１０５を外側と内側から保持することで、保持器１０１から針状ころ１０５がばらけることを防いで、ハンドリングを容易にしている。
【０００４】
ところで、上記従来の軸受組立体１１１では、例えば、図示しない回転軸に対して、図３に矢印Ｘで示す軸方向に挿入する。この挿入時には、各針状ころ１０５が内側の保持リング１０７と外側の保持リング１０６の両方により保持されている。そして、上記回転軸への軸受組立体１１１の挿入により、内側の保持リング１０７の小径側の軸方向の端面１０７Ｂが上記回転軸の端面に当接し、さらに、上記挿入を続けることで、上記内側の保持リング１０７は、上記回転軸の端面に押されて保持器１０１,針状ころ１０５に対して矢印Ｙで示す軸方向にスライドする。上記回転軸へ針状ころ１０５が装着されてしまうと上記内側の保持リング１０７は上記針状ころ１０５から外れて軸受組立体１１１から離脱される。
【０００５】
上記軸受組立体１１１を上記回転軸へ挿入している間中、各針状ころ１０５は、外側の保持リング１０６と内側の保持リング１０７,クランク軸の外周面により径方向の内側と外側の両方から保持されることとなり、針状ころ１０５が保持器１０１から脱落してしまうことが防がれる。
【０００６】
次に、上記回転軸に装着された軸受組立体１１１を、図示しないハウジングの内周面に矢印Ｙで示す方向に挿入する際には、外側の保持リング１０６が挿入の邪魔になるから、外側の保持リング１０６を保持器１０１,針状ころ１０５から取り外してから上記ハウジングに組み込む必要がある。
【０００７】
しかし、上記保持器１０１,針状ころ１０５から外側の保持リング１０６を取り外すと針状ころ１０５が保持器１０１から脱落しないように径方向外側から保持することができなくなって、針状ころ１０５が保持器１０１の外側に脱落してしまう。このため、上記針状ころ軸受１００の組み付け作業性が悪いという問題がある。
【先行技術文献】
【特許文献】
【０００８】
【特許文献１】特開平３−４０２７号公報
【発明の概要】
【発明が解決しようとする課題】
【０００９】
そこで、この発明の課題は、ハウジングへの組み付け時に保持器からころが脱落することを防止でき、組み付け作業性の良い転がり軸受組立体を提供することにある。
【課題を解決するための手段】
【００１０】
上記課題を解決するため、この発明の転がり軸受組立体は、環状部とこの環状部の周方向に予め定められた間隔で複数形成された柱部とを有する保持器と、
上記柱部間に配置される複数のころと、
上記複数のころに径方向内側から係合して上記複数のころが上記保持器から径方向内方に脱落しないように保持する内側環状部材と、
上記複数のころの径方向外側に配置されて上記複数のころが上記保持器から径方向外方に脱落しないように保持する外側環状部材と、
上記保持器の柱部間に配置された全てのころを径方向外方から上記保持器に保持するように上記保持器と上記ころに対して径方向の外方側から巻き付けられた保持部材とを備えたことを特徴としている。
【００１１】
この発明の軸受組立体では、ハウジングの内周面に挿入する際に、上記外側環状部材を取り外した状態でも、上記保持部材が全てのころを径方向外方側から上記保持器に保持する。したがって、上記ころと保持器による軸受を、上記ハウジングの内周面に挿入する際に上記ころが保持器から外れて脱落してしまうことを防止できる。また、上記保持部材は、上記ころと保持器による軸受を上記ハウジングの内周面に挿入しながら、軸方向に引っ張って上記ころへの巻き付きを解除して上記軸受から取り去ればよい。なお、上記保持部材は、上記軸受を上記ハウジングの内周面に挿入してしまってから、軸方向に引っ張って上記ころへの巻き付きを解除して上記ころから取り去ってもよい。したがって、この発明によれば、ハウジングへの組み付け時に保持器からころが脱落することを防止でき、組み付け作業性の良い転がり軸受組立体を提供できる。
【発明の効果】
【００１２】
この発明の軸受組立体によれば、ハウジングの内周面に挿入する際に、外側環状部材を取り外した状態でも、保持部材が全てのころを径方向外方から保持器に保持するから、ハウジングの内周面に挿入する際に上記ころが保持器から外れて脱落してしまうことを防止できる。上記保持部材は、上記保持器ところによる軸受を上記ハウジングの内周面に挿入しながら、軸方向に引っ張って上記ころへの巻き付きを解除して上記軸受から取り外せばよい。したがって、この発明によれば、ハウジングへの組み付け時に保持器からころが脱落することを防止でき、組み付け作業性の良い転がり軸受組立体を提供できる。
【図面の簡単な説明】
【００１３】
【図１】この発明の転がり軸受組立体の実施形態としての針状ころ軸受の組立体を示す斜視図である。
【図２】上記実施形態の側面図である。
【図３】従来の転がり軸受組立体の斜視図である。
【図４】上記従来の転がり軸受組立体の内側保持リングの斜視図である。
【図５】上記従来の転がり軸受組立体の外側保持リングの斜視図である。
【発明を実施するための形態】
【００１４】
以下、この発明を図示の実施の形態により詳細に説明する。
【００１５】
図１は、この発明の転がり軸受組立体の実施形態としての針状ころ軸受の軸受組立体１１の斜視図であり、図２は、上記軸受組立体１１の側面図である。この実施形態は、図３を参照して説明した従来の軸受組立体１１１と同様に、保持器１０１,針状ころ１０５および外側環状部材の一例としての外側の保持リング１０６(図５),内側環状部材の一例としての内側の保持リング１０７(図４)を備える。
【００１６】
図１に示すように、保持器１０１は、環状部１２とこの環状部１２の周方向に予め定められた間隔で複数形成された柱部１０２を有する。隣り合う２つの柱部１０２間の１つのポケットに２本の針状ころ１０５が配置されている。
【００１７】
また、上記内側の保持リング１０７は、図４に示すように、湾曲した端壁１５Ａを持つと共に断面矩形状の凹部１５と、この凹部１５に隣接する凸部１６と、この凸部１６に隣接する湾曲形状の凹部１７とが周方向に配列されている。上記矩形状の凹部１５には、１本の針状ころ１０５が配置される。この矩形状の凹部１５では、針状ころ１０５はすきま嵌め状態になっている。また、湾曲形状の凹部１７には、１本の針状ころ１０５が配置される。この湾曲形状の凹部１７では針状ころ１０５はしまり嵌め状態になっている。
【００１８】
また、上記内側の保持リング１０７の凸部１６の内径側にはあり溝１４が形成されており、このあり溝１４には、１本の針状ころ１０５と保持器１０１の柱部１０２の一端部１０２Ａが周方向に隣接した状態で配置されてしまり嵌めで嵌合している。
【００１９】
上記内側の保持リング１０７は、上記各針状ころ１０５が保持器１０１から径方向内方に脱落しないように保持する。一方、上記外側の保持リング１０６は、図１に示すように、各針状ころ１０５の軸方向の一端側の部分１０５Ａに径方向外方から重なって上記各針状ころ１０５が保持器１０１から径方向外方に脱落しないように保持する。なお、この外側の保持リング１０６は、図５に示すように、軸方向の一端側に内鍔部１０６Ａを有する。この内鍔部１０６Ａは、内側の保持リング１０７の矩形状の凹部１５に配置した針状ころ１０５の一端側の端面に当接するようになっている。
【００２０】
また、この実施形態の軸受組立体１１は、上記保持器１０１に装着された全部の針状ころ１０５に対して径方向の外側から巻かれている細長い帯状の保持部材１８を備える。この細長い帯状の保持部材１８は、一例として、包装用フィルムで作製されている。図２に示すように、上記帯状の保持部材１８は、保持器１０１および周方向に配列された複数の針状ころ１０５に対して螺旋状に巻き付けられている。また、上記帯状の保持部材１８は、図２に実線で示される巻回部分１８ａが、図２において下方端の針状ころ１０５を巻回して図２に破線で示す裏側の巻回部分１８ｂに連続している。この破線で示す裏側の巻回部分１８ｂは、図２に示されている表側の半周面に対する裏側の半周面に配列されている複数の針状ころ１０５に径方向外方から巻かれている。また、この帯状の保持部材１８は、上記破線で示す裏側の巻回部分１８ｂから連続していて表側まで巻回された一端部１８ｃが保持器１０１の柱部１０２の基部１０２Ｂに接着テープ２１で接着されている。また、上記帯状の保持部材１８は、図２において外側の保持リング１０６の内側で延在している巻回部分１８ｄが上記実線で示される巻回部分１８ａから連続しており、図２における上方端の針状ころ１０５を巻回して他端部１８ｅが裏面側の針状ころ１０５の外周面に接着テープ２３で接着されている。
【００２１】
上記構成の軸受組立体１１は、例えば、回転軸の一例としてのクランク軸(図示せず)に対して、上記外側の保持リング１０６を図１,図２に矢印Ｘで示す軸方向に押すことで、上記クランク軸に軸方向に挿入される。この挿入時に、内側の保持リング１０７の凹部１５,１７に装着されている針状ころ１０５の一端側の部分１０５Ａの端面は、上記外側の保持リング１０６の内鍔部１０６Ａに当接して矢印Ｘで示す軸方向に押され、この針状ころ１０５の他端側の端面１０５Ｂに当接している保持器１０１およびあり溝１４に嵌合された針状ころ１０５と共に上記クランク軸の外周面に挿入される。
【００２２】
この挿入時に、各針状ころ１０５は、内側の保持リング１０７と、上記帯状の保持部材１８および外側の保持リング１０６によって、径方向の内側と外側の両方から保持されている。
【００２３】
上記軸受組立体１１に対して、上記矢印Ｙの方向へ上記クランク軸を挿入することで、内側の保持リング１０７の軸方向の端面１０７Ｂに上記クランク軸の端面が当接し、さらに、上記挿入を続けることで、上記内側の保持リング１０７は、上記クランク軸の端面に矢印Ｙで示す軸方向に押されて保持器１０１,針状ころ１０５に対して矢印Ｙで示す軸方向にスライドする。このスライドにより、内側の保持リング１０７は、上記針状ころ１０５,保持器１０１から抜けて行き、上記クランク軸へ上記針状ころ１０５,保持器１０１が装着されてしまうと上記内側の保持リング１０７は上記針状ころ１０５,保持器１０１から矢印Ｙの方向へ外れて軸受組立体１１から離脱される。
【００２４】
ここで、上記軸受組立体１１に上記クランク軸を挿入している間中、各針状ころ１０５は、細長い帯状の保持部材１８と内側の保持リング１０７,クランク軸の外周面により径方向の外側と内側の両方から保持される。これにより、針状ころ１０５が保持器１０１から脱落してしまうことが防がれる。
【００２５】
次に、上記クランク軸に装着された軸受組立体１１(保持器１０１,針状ころ１０５)を、図示しないハウジングの内周面に矢印Ｙで示す方向に挿入する際には、外側の保持リング１０６が挿入の邪魔になるから、外側の保持リング１０６を保持器１０１,針状ころ１０５から取り外してから上記ハウジングに組み込む。ここで、この実施形態の軸受組立体１１では、上記ハウジングの内周面に挿入する際に、上記外側の保持リング１０６を取り外した状態でも、上記細長い帯状の保持部材１８が全ての針状ころ１０５を径方向外方から保持器１０１に保持する。したがって、軸受組立体１１をハウジングの内周面に挿入する際に、針状ころ１０５が保持器１０１から径方向外方に外れて脱落してしまうことを防止できる。また、上記細長い帯状の保持部材１８は、上記軸受組立体(保持器１０１,針状ころ１０５)１１を上記ハウジングの内周面に挿入してしまってから、上記接着テープ２１を剥がし、一端部１８ｃを軸方向に引っ張って上記他端部１８ｅを接着している接着テープ２３と一緒に上記保持器１０１,針状ころ１０５から取り外す。
【００２６】
これにより、保持器１０１から針状ころ１０５を脱落させることなく、上記針状ころ１０５と保持器１０１で構成される針状ころ軸受を上記ハウジングの内周面と上記クランク軸との間に装着できる。
【００２７】
なお、上記細長い帯状の保持部材１８は、上記保持器１０１と針状ころ１０５からなる針状ころ軸受を、上記ハウジングの内周面に矢印Ｙの方向に挿入しながら、一端部１８ｃの接着テープ２１をはがして上記帯状の保持部材１８の一端部１８ｃを引っ張ることで上記針状ころ軸受を回転させながら上記針状ころ１０５から外して行き、最終的に上記帯状の保持部材１８の他端部１８ｅの接着テープ２３もはがして帯状の保持部材１８を針状ころ１０５から取り去るようにしてもよい。
【００２８】
また、上記実施形態では、ラッピングフィルムで作製した細長い帯状の保持部材１８を針状ころ１０５に螺旋状に巻回したが、必ずしも螺旋状に巻回する必要はなく、比較的幅広の帯状の保持部材で針状ころ１０５を輪状に巻回してその両端を接着テープ等で接合することで全部の針状ころ１０５を径方向外側から保持器１０１に保持してもよい。また、上記保持部材自体を接着テープとしてもよい。また、上記実施形態では、保持部材１８を細長い帯状の包装用フィルムで作製したが、他の薄い膜状の高分子材料で作製してもよい。また、上記保持部材を、エラストマーで作製したゴムひも状部材として、上述と同様に針状ころ軸受に巻き付けてもよい。また、本発明は、上記実施形態のような保持付き針状ころを外側保持リングと内側保持リングで保持するものに限らず、保持器ところとで構成されるころ軸受を外側環状部材と内側環状部材とで保持する転がり軸受組立体に適用できる。
【符号の説明】
【００２９】
１１  軸受組立体
１２  環状部
１４  あり溝
１５  断面矩形状の凹部
１５Ａ  端壁
１６  凸部
１７  湾曲形状の凹部
１８  細長い帯状の保持部材
１８ａ,１８ｂ,１８ｄ  巻回部分
１８ｃ  一端部
１８ｅ  他端部
２１,２３  接着テープ
１０１  保持器
１０２  柱部
１０２Ａ  一端部
１０２Ｂ  基部
１０５  針状ころ
１０５Ａ  一端側の部分
１０６  外側の保持リング
１０６Ａ  内鍔部
１０７  内側の保持リング
１０７Ａ  一部分
１０７Ｂ  端面
【図１】
2012112429.tif 000003
【図２】
2012112429.tif 000004
【図３】
2012112429.tif 000005
【図４】
2012112429.tif 000006
【図５】
2012112429.tif 000007